(57)【要約】【課題】ユーザーが操作部の種類を容易に識別することができる状態提示装置、及び状態提示部材を提供する。【解決手段】状態提示装置５０は、操作部６０と、状態提示部材７０とを備える。操作部６０は、ブラインド２０の状態を変更する。状態提示部材７０は、操作部６０に設けられ、操作部６０の状態を表す。状態提示部材７０は、移動部７２を有する。移動部７２は、重力の作用で移動する。移動部７２が移動することにより、状態提示部材７０の態様が変化することが好ましい。状態提示部材７０は、固定部７１をさらに有することが好ましい。固定部７１は、操作部６０に固定されることが好ましい。移動部７２は、固定部７１に設けられ、固定部７１に対して移動可能に支持されることが好ましい。【選択図】図２
2019206842.tif 000002
【特許請求の範囲】
【請求項１】
対象物の状態を変更する操作部と、
前記操作部に設けられ、前記操作部の状態を表す状態提示部材と
を備え、
前記状態提示部材は、重力の作用で移動する移動部を有する、状態提示装置。
【請求項２】
前記移動部が移動することにより、前記状態提示部材の態様が変化する、請求項１に記載の状態提示装置。
【請求項３】
前記対象物の状態は、第１状態と第２状態との間で変更可能であり、
前記操作部は、
第１位置に位置する第１部分と、
前記第１位置とは異なる第２位置に位置する第２部分と
を有し、
前記第１部分が前記第２位置に向けて移動するように前記操作部が操作されると、前記対象物の状態が前記第２状態に向けて変化し、
前記第２部分が前記第１位置に向けて移動するように前記操作部が操作されると、前記対象物の状態が前記第１状態に向けて変化し、
前記状態提示部材は、前記操作部に固定される固定部をさらに有し、
前記移動部は、前記固定部に設けられ、前記固定部に対して移動可能に支持される、請求項１又は請求項２に記載の状態提示装置。
【請求項４】
前記固定部は、前記移動部が摺動可能に取り付けられる摺動部を有し、
前記摺動部は、延び方向に沿って延びる形状を有し、
前記延び方向は、前記操作部の延びる方向を示す、請求項３に記載の状態提示装置。
【請求項５】
前記摺動部は、
前記延び方向のうちの一方側に位置する一方部分と、
前記延び方向のうちの他方側に位置する他方部分と
を有し、
前記状態提示部材が前記第１位置に位置するとき、前記状態提示部材が前記他方部分を覆い、
前記状態提示部材が前記第２位置に位置するとき、前記状態提示部材が前記一方部分を覆う、請求項４に記載の状態提示装置。
【請求項６】
前記一方部分の色が、前記他方部分の色と異なる、請求項５に記載の状態提示装置。
【請求項７】
前記第１部分及び前記第２部分の各々は、上下方向に沿って延びる、請求項３から請求項６のいずれか１項に記載の状態提示装置。
【請求項８】
上下方向において、前記第１位置に位置する前記固定部の向きが、前記第２位置に位置する前記固定部の向きと逆向きに配置される、請求項３から請求項７のいずれか１項に記載の状態提示装置。
【請求項９】
前記第１位置に位置する前記状態提示部材の外観が、前記第２位置に位置する前記状態提示部材の外観と異なる、請求項３から請求項８のいずれか１項に記載の状態提示装置。
【請求項１０】
操作部の操作により対象物の状態を変更可能な装置に用いられる状態提示部材であって、
重力の作用で移動する移動部を備え、
前記操作部に設けられ、前記操作部の状態を表す、状態提示部材。
【発明の詳細な説明】
【技術分野】
【０００１】
本発明は、状態提示装置、及び状態提示部材に関する。
【背景技術】
【０００２】
特許文献１に記載の案内装置は、ブラインドのボールチェーンに設けられる。ボールチェーンは、一方の操作部と、他方の操作部と、第１スロープと、第２スロープとを有する。第１スロープは、一方の操作部を他方の操作部側に案内する。第２スロープは、他方の操作部を一方の操作部側に案内する。
【先行技術文献】
【特許文献】
【０００３】
【特許文献１】特開２０１７−９５９０８号公報
【発明の概要】
【発明が解決しようとする課題】
【０００４】
ボールチェーンは、一方の操作部と他方の操作部とで構成される２種類の操作部を有する。一方の操作部が他方の操作部側に操作されると、ブラインドが上昇する。他方の操作部が一方の操作部側に操作されると、ブラインドが下降する。しかし、一方の操作部の外観は、他方の操作部の外観と同じであった。また、通常は、一方の操作部がユーザーに対して手前側に配置され、他方の操作部が奥側に配置される。しかし、操作部がねじれた場合、２種類の操作部の位置関係が不明になるので、ユーザーが操作部の種類を判別することが困難であった。従って、ユーザーが操作部の外観から操作部の種類を容易に識別したいとする要望があった。
【０００５】
本発明は、ユーザーが操作部の種類を容易に識別することができる状態提示装置、及び状態提示部材を提供する。
【課題を解決するための手段】
【０００６】
本発明の第１の局面によれば、状態提示装置は、操作部と、状態提示部材とを備える。操作部は、対象物の状態を変更する。状態提示部材は、前記操作部に設けられ、前記操作部の状態を表す。前記状態提示部材は、重力の作用で移動する移動部を有する。
【発明の効果】
【０００７】
本発明によれば、ユーザーが操作部の種類を容易に識別することができる。
【図面の簡単な説明】
【０００８】
【図１】本発明の第１実施形態に係るブラインドの側面図である。
【図２】状態提示装置の拡大図である。
【図３】状態提示部材の斜視図である。
【図４】第１位置に位置する状態提示部材の切断端面図である。
【図５】第２位置に位置する状態提示部材の切断端面図である。
【図６】摺動部の一部の切断端面図である。
【図７】（ａ）は、第１位置に位置する状態提示部材の変形例の切断端面図である。（ｂ）は、第２位置に位置する状態提示部材の変形例の切断端面図である。
【発明を実施するための形態】
【０００９】
本発明の第１実施形態について、図面を参照しながら説明する。なお、図中、同一又は相当部分については同一の参照符号を付して説明を繰り返さない。
【００１０】
図１及び図２を参照して、ブラインド装置１００について説明する。図１は、ブラインド装置１００の側面図である。
【００１１】
図１に示すように、ブラインド装置１００は、例えば、窓に対向して配置され、日よけ、及び目隠しのために用いられる。
【００１２】
ブラインド装置１００は、ヘッドボックス１０と、ブラインド２０とを備える。
【００１３】
ヘッドボックス１０は、天井、窓枠、及びカーテンボックスのような支持部材に取り付けられる。
【００１４】
ブラインド２０は、本発明の対象物の一例である。なお、本実施形態では、ブラインドの一例としてプリーツスクリーンを説明する。しかし、本発明は、横型ブラインド、縦型ブラインド、ハニカムスクリーン、及びロールスクリーンのような他のブラインドでも実施可能である。
【００１５】
ブラインド２０は、ヘッドボックス１０から昇降自在に吊り下げられる。
【００１６】
ブラインド２０は、複数のスラット２１と、ラダーコード２２と、ボトムレール２３と、リフティングテープ２４とを有する。
【００１７】
スラット２１は、日よけ、及び目隠しを行う部材である。スラット２１は、例えば、合成樹脂板、及びステンレスのような金属板で形成される。スラット２１は、矩形の板状に形成される。スラット２１の上面部は、略円弧状に突出する。複数のスラット２１は、上下方向に沿って並んでいる。
【００１８】
ラダーコード２２は、複数のスラット２１を支持する。ラダーコード２２は、複数のスラット２１のチルト角度を調整する。ラダーコード２２は、ヘッドボックス１０から吊り下げられる。
【００１９】
ボトムレール２３は、複数のスラット２１の下方に配置される。ボトムレール２３は、ラダーコード２２の下端に固定される。ボトムレール２３は、複数のスラット２１が降下した状態を保持する重量部材として機能する。また、ボトムレール２３が引き上げられるとき、複数のスラット２１がボトムレール２３上に積み上げられる。
【００２０】
リフティングテープ２４は、ブラインド２０を昇降させる。リフティングテープ２４は、ヘッドボックス１０から吊り下げられる。リフティングテープ２４には、ボトムレール２３が固定される。
【００２１】
ヘッドボックス１０には、ドラムと、軸体とが収容される。ドラムには、リフティングテープ２４が巻きつけられる。軸体は、ドラムに接続され、ドラムを回転させる。ドラムが回転することで、ドラムに対するリフティングテープ２４の巻き付け量が増減する。その結果、ブラインド２０が昇降する。
【００２２】
なお、ブラインド２０が上昇することは、複数のスラット２１同士の間隔が狭くなり、ボトムレール２３が上昇することを示す。これに対し、ブラインド２０が下降することは、複数のスラット２１同士の間隔が広くなり、ボトムレール２３が下降することを示す。
【００２３】
ブラインド２０の状態は、閉状態αと開状態との間で変更可能である。図１は、ブラインド２０の閉状態αを示す。第１実施形態では、ブラインド２０の閉状態αは、予め設定された最大の下降位置までボトムレール２３が下降している状態を示す。閉状態αにおいて、ブラインド２０が閉じられている。これに対し、ブラインド２０の開状態は、予め設定された最大の上昇位置までボトムレール２３が上昇している状態を示す。開状態において、ブラインド２０が開かれている。
【００２４】
閉状態αは、本発明の第１状態の一例である。開状態は、本発明の第２状態の一例である。
【００２５】
ブラインド装置１００は、ケーシング３０と、駆動機構４０と、状態提示装置５０とをさらに備える。
【００２６】
ケーシング３０は、ヘッドボックス１０の側部に設置される。ケーシング３０には、駆動機構４０が収容される。
【００２７】
駆動機構４０は、例えば、プーリ、及びギヤボックスを含む。プーリは、ギヤボックスを介してヘッドボックス１０の軸体に接続される。
【００２８】
図２は、状態提示装置５０の拡大図を示す。
【００２９】
図１及び図２に示すように、状態提示装置５０は、操作部６０と、複数の状態提示部材７０とを備える。
【００３０】
操作部６０は、環状に形成される。操作部６０は、紐状、チェーン状又はベルト状の部材である。操作部６０は、ケーシング３０内のプーリに架けられる。操作部６０は、ケーシング３０から垂れさがる。
【００３１】
操作部６０が回転することで、操作部６０の回転駆動力が駆動機構４０を介してブラインド２０に伝達される。その結果、ブラインド２０が昇降する。
【００３２】
操作部６０は、第１位置Ｘ１と、第２位置Ｘ２と、第３位置Ｘ３とを通るように設置される。第１位置Ｘ１と第２位置Ｘ２との間には、第３位置Ｘ３が位置する。
【００３３】
操作部６０は、第１部分６１と、第２部分６２と、第３部分６３とを有する。
【００３４】
第１部分６１は、操作部６０のうち第１位置Ｘ１に位置する部分を示す。第１部分６１は、上下方向に沿って延びる姿勢に配置される。第１部分６１が引き下げられることで、ブラインド２０が上昇する。
【００３５】
第２部分６２は、操作部６０のうち第２位置Ｘ２に位置する部分を示す。第２部分６２は、上下方向に沿って延びる姿勢に配置される。第２部分６２が引き下げられることで、ブラインド２０が下降する。
【００３６】
第３部分６３は、操作部６０のうち第３位置Ｘ３に位置する部分を示す。また、第３部分６３は、操作部６０のうち最下部に位置する。第３部分６３の一端は、第１部分６１の下端に通じている。第３部分６３の他端は、第２部分６２の下端に通じている。
【００３７】
複数の状態提示部材７０は、操作部６０に設けられる。複数の状態提示部材７０は、延び方向Ｙに沿って並んでいる。延び方向Ｙは、操作部６０の延びる方向を示す。操作部６０は、延び方向Ｙに沿って回転可能に支持される。
【００３８】
図２において、延び方向Ｙの一方側は、延び方向Ｙのうち第３部分６３から第１部分６１に向けて延びる方向を示す。延び方向Ｙの他方側は、延び方向Ｙのうち第３部分６３から第２部分６２に向けて延びる方向を示す。
【００３９】
図１及び図２に示すように、第１部分６１が引き下げられると、操作部６０が延び方向Ｙの他方側に回転する。操作部６０が延び方向Ｙの他方側に回転すると、操作部６０の回転が、駆動機構４０、及びヘッドボックス１０内のドラムを介してボトムレール２３に伝達される。このときドラムが第１回転方向に回転する。その結果、ボトムレール２３が上昇する。そして、ボトムレール２３が上昇することで、ブラインド２０の状態が開状態に向けて変化する。
【００４０】
ブラインド２０の状態は、ブラインド２０の昇降の度合を示す。ブラインド２０の状態は、本発明の対象物の状態の一例である。
【００４１】
第２部分６２が引き下げられると、操作部６０が延び方向Ｙの一方側に回転する。操作部６０が延び方向Ｙの一方側に回転すると、操作部６０の回転が、駆動機構４０、及びヘッドボックス１０内のドラムを介してボトムレール２３に伝達される。このとき、ドラムが第１回転方向とは反対の第２回転方向に回転する。その結果、ボトムレール２３が下降する。ボトムレール２３が下降することで、ブラインド２０の状態が閉状態αに向けて変化する。
【００４２】
次に、図３及び図４を参照して、状態提示部材７０について説明する。なお、複数の状態提示部材７０のうちの１つに着目して説明する。図３は、状態提示部材７０の斜視図である。図４は、第１位置Ｘ１に位置する状態提示部材７０の切断端面図である。
【００４３】
図３及び図４に示すように、状態提示部材７０は、操作部６０の状態を表す。「操作部６０の状態を表す」とは、例えば、操作部６０のうち状態提示部材７０が設けられている部分が、第１部分６１、及び第２部分６２のうちのいずれに該当するかを表すことを示す。
【００４４】
状態提示部材７０は、操作部６０と共に移動する。状態提示部材７０は、例えば、樹脂により形成される。なお、状態提示部材７０の材料はとくに限定されない。状態提示部材７０は、金属により形成されてもよい。状態提示部材７０は、固定部７１と、移動部７２とを有する。
【００４５】
固定部７１は、操作部６０に固定される。固定部７１には、操作部６０が貫通する。
【００４６】
固定部７１は、第１固定部分７３と、第２固定部分７４と、第３固定部分７５とを有する。
【００４７】
第１固定部分７３は、固定部７１のうち延び方向Ｙの一方側に位置する。第３固定部分７５は、固定部７１のうち延び方向Ｙの他方側に位置する。第２固定部分７４は、第１固定部分７３と第３固定部分７５との間に位置する。
【００４８】
第１固定部分７３は、第１フランジ部７３ａと、第１摺動部７３ｂとを有する。
【００４９】
第１フランジ部７３ａは、延び方向Ｙの一方側に湾曲しつつ突出する。第１フランジ部７３ａは、操作部６０が挿通する孔が形成された略筒形状を有する。第１フランジ部７３ａは、第１摺動部７３ｂよりも幅方向Ｚに沿って膨出する。幅方向Ｚは、延び方向Ｙに対して垂直な方向を示す。
【００５０】
第１摺動部７３ｂは、第１フランジ部７３ａから延び方向Ｙの他方側に突出する。第１摺動部７３ｂは、操作部６０が挿通する孔が形成された略筒形状を有する。
【００５１】
第２固定部分７４は、第２摺動部７４ａを有する。
【００５２】
第２摺動部７４ａは、略筒形状を有する。第２摺動部７４ａには、操作部６０が挿通される。第２摺動部７４ａは、第１摺動部７３ｂに対して延び方向Ｙの他方側に位置する。第２摺動部７４ａは、第１摺動部７３ｂに連なる。
【００５３】
第１摺動部７３ｂと第２摺動部７４ａとは、延び方向Ｙに沿って延びる１つの摺動部７６を形成する。
【００５４】
第１摺動部７３ｂは、本発明の一方部分の一例である。第２摺動部７４ａは、本発明の他方部分の一例である。
【００５５】
第３固定部分７５は、第２フランジ部７５ａを有する。
【００５６】
第２フランジ部７５ａは、延び方向Ｙの一方側に湾曲しつつ突出する。第２フランジ部７５ａは、略筒形状を有する。第２フランジ部７５ａには、操作部６０が挿通される。第２フランジ部７５ａは、第２摺動部７４ａに対して延び方向Ｙの他方側に位置する。第２フランジ部７５ａは、第２摺動部７４ａに連なる。第２フランジ部７５ａは、第２摺動部７４ａよりも幅方向Ｚに沿って膨出する。
【００５７】
移動部７２は、摺動部７６に摺動可能に取り付けられる。移動部７２は、略環形状を有する。移動部７２は、孔部７２ａを有する。孔部７２ａには、摺動部７６が挿通される。孔部７２ａの幅方向Ｚの寸法Ａは、第１フランジ部７３ａの幅方法の最大寸法Ｂよりも小さい（Ａ＜Ｂ）。また、孔部７２ａの幅方向Ｚの寸法Ａは、第２フランジ部７５ａの幅方向Ｚの最大寸法Ｃよりも小さい（Ａ＜Ｃ）。従って、移動部７２が摺動部７６から抜け落ちることが防止される。
【００５８】
移動部７２は、延び方向Ｙに沿って摺動部７６を摺動する。第１実施形態では、移動部７２は、重力により摺動部７６を摺動する。
【００５９】
第１実施形態では、移動部７２と、第１固定部分７３と、第３固定部分７５とは、同じ色で形成される。第２固定部分７４の色は、移動部７２、第１固定部分７３、及び第３固定部分７５の色とは異なる。
【００６０】
以下では、移動部７２、第１固定部分７３、及び第３固定部分７５の色を、第１色と記載することがある。また、第２固定部分７４の色を、第２色と記載することがある。
【００６１】
また、第１実施形態では、移動部７２と、第１固定部分７３と、第３固定部分７５とは、同じ材料で形成される。第２固定部分７４の材料は、移動部７２、第１固定部分７３、及び第３固定部分７５の材料とは異なる。
【００６２】
以上、図３及び図４を参照して説明したように、操作部６０は、第１部分６１と第２部分６２とで構成される２種類の操作部を有する。また、状態提示部材７０は、操作部６０に設けられる。また、状態提示部材７０は、重力の作用で移動する移動部７２を有する。従って、状態提示部材７０が第１部分６１に設けられているときと、状態提示部材７０が第２部分６２に設けられているときとで、移動部７２を移動させることにより、状態提示部材７０の外観を変更することが可能である。その結果、ユーザーは、状態提示部材７０を視認することで、操作部６０の種類を容易に認識することができる。詳細には、ユーザーは、状態提示部材７０を視認することで、操作部６０のうち状態提示部材７０が設けられている部分が、第１部分６１に該当するか、又は、第２部分６２に該当するかを容易に認識することができる。
【００６３】
次に、図２及び図４を参照して、第１位置Ｘ１に位置する移動部７２について説明する。
【００６４】
図２及び図４に示すように、第１位置Ｘ１において、延び方向Ｙの一方側が上方を向き、延び方向Ｙの他方側が下方を向く。従って、第１位置Ｘ１において、移動部７２が延び方向Ｙの他方側に移動するように、移動部７２に対して重力が作用する。
【００６５】
第１位置Ｘ１において、第２フランジ部７５ａが移動部７２に下方から接触している。従って、第２フランジ部７５ａが移動部７２を支持する。その結果、移動部７２の位置が、第１所定位置に固定される。第１所定位置は、移動部７２が第２摺動部７４ａを覆う位置を示す。
【００６６】
第１位置Ｘ１において、第２摺動部７４ａが移動部７２で覆われるのに対し、第１摺動部７３ｂが露出する。その結果、第１位置Ｘ１において、状態提示部材７０の外観が、略一色で形成される。本実施形態では、状態提示部材７０の外観が、第１色で形成される。
【００６７】
なお、「移動部７２が第２摺動部７４ａを覆う」とは、移動部７２が第２摺動部７４ａの全部を覆う場合のみならず、移動部７２が第２摺動部７４ａの一部を覆う場合も含む。
【００６８】
次に、図２及び図５を参照して、第２位置Ｘ２に位置する移動部７２について説明する。図５は、第２位置Ｘ２に位置する状態提示部材７０の切断端面図である。
【００６９】
図２及び図５に示すように、第２位置Ｘ２において、延び方向Ｙの他方側が上方を向き、延び方向の一方側が下方を向く。従って、第２位置Ｘ２において、移動部７２が延び方向Ｙの一方側に移動するように、移動部７２に対して重力が作用する。
【００７０】
また、上下方向において、第２位置Ｘ２に位置する固定部７１の向きが、第１位置Ｘ１に位置する固定部７１の向きと逆向きに配置される（図４及び図５参照）。
【００７１】
第２位置Ｘ２において、第１フランジ部７３ａが移動部７２に下方から接触している。従って、第１フランジ部７３ａが移動部７２を支持する。その結果、移動部７２の位置が、第２所定位置に固定される。第２所定位置は、移動部７２が第１摺動部７３ｂを覆う位置を示す。
【００７２】
第２位置Ｘ２において、第１摺動部７３ｂが移動部７２で覆われるのに対し、第２摺動部７４ａが露出する。その結果、第２位置Ｘ２において、状態提示部材７０の外観が、複数の色で形成される。本実施形態では、第２位置Ｘ２において、状態提示部材７０の外観が、第１色と第２色とで形成される。
【００７３】
なお、「移動部７２が第１摺動部７３ｂを覆う」とは、移動部７２が第１摺動部７３ｂの全部を覆う場合のみならず、移動部７２が第１摺動部７３ｂの一部を覆う場合も含む。
【００７４】
以上、図２、図４、及び図５を参照して説明したように、第１位置Ｘ１に位置する状態提示部材７０の外観が略一色で形成されるのに対し、第２位置Ｘ２に位置する状態提示部材７０の外観が複数の色で形成される。従って、第１位置Ｘ１に位置する状態提示部材７０の外観が、第２位置Ｘ２に位置する状態提示部材７０の外観と異なる。その結果、ユーザーは、状態提示部材７０を視認することで、操作部６０の種類を容易に認識することができる。
【００７５】
次に、図６を参照して、摺動部７６について説明する。図６は、摺動部７６の一部の切断端面図である。
【００７６】
図６において、距離Ｄは、操作部６０と、摺動部７６の外面部との距離を示す。第１距離Ｄ１は、操作部６０と、第１摺動部７３ｂの端部の外面部との距離を示す。第１摺動部７３ｂの端部は、詳細には、第１摺動部７３ｂのうち、延び方向Ｙの一方側の端部を示す。第２距離Ｄ２は、操作部６０と、第２摺動部７４ａの端部の外面部との距離を示す。第２摺動部７４ａの端部は、詳細には、第２摺動部７４ａのうち、延び方向Ｙの他方側の端部を示す。
【００７７】
図６に示すように、摺動部７６は、テーパ形状を有する。テーパ形状は、延び方向の一方側に向かう程、距離Ｄが小さくなることを示す。従って、第１距離Ｄ１が第２距離Ｄ２よりも小さい（Ｄ１＜Ｄ２）。
【００７８】
第１実施形態では、第１摺動部７３ｂの材料は、移動部７２の材料と同じである。また、第２摺動部７４ａの材料は、移動部７２、及び第１摺動部７３ｂの材料とは異なる。
【００７９】
以上、図６を参照して説明したように、摺動部７６は、テーパ形状を有する。従って、同じ材料で形成される移動部７２と第１摺動部７３ｂと間の摩擦が大きくなる場合でも、移動部７２を延び方向Ｙの一方側に円滑に摺動させることが可能になる。
【００８０】
以上、図面（図１〜図６）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８１】
（１）第１実施形態の対象物は、ブラインド２０（図１参照）である。しかし、本発明はこれに限定されない。対象物は、操作部の操作により第１の動作と、第２の動作とを行うものであればよい。第１の動作は、操作部の第１部分が第２位置に向けて移動するように操作部が操作されると、対象物の状態が第２状態に向けて変化する動作を示す。第２の動作は、操作部の第２部分が第１位置に向けて移動するように操作部が操作されると、対象物の状態が第１状態に向けて変化する動作を示す。
【００８２】
対象物は、例えば、スラット２１（図１参照）でもよい。この場合、スラット２１は、操作部の操作により、第１角度状態と、第２角度状態との間でチルト角度を変更する。第１角度状態は、チルト角度が上限のときのスラット２１の状態を示す。第２角度状態は、チルト角度が下限のときのスラット２１の状態を示す。
【００８３】
また、対象物は、例えば、ドアでもよい。ドアは、操作部の操作により、開状態と、閉状態との間で回転又は移動する。開状態は、ドアが開いた状態を示す。閉状態は、ドアが閉じた状態を示す。
【００８４】
（２）第１実施形態では、移動部７２は、環状に形成される（図３及び図４参照）。しかし、本発明はこれに限定されない。移動部７２は、摺動部７６（図４及び図５参照）から外れることなく、摺動部７６を摺動できる形状を有していればよい。移動部７２の形状は、例えば、環状の部材の一部を切り欠いた略Ｃ字形状でもよい。
【００８５】
（３）第１実施形態では、状態提示部材７０が第１位置Ｘ１に位置するとき、状態提示部材７０の外観が略一色の色で構成され、状態提示部材７０が第２位置Ｘ２に位置するとき、状態提示部材７０の外観が複数の色で構成される。その結果、第１位置Ｘ１に位置する状態提示部材７０の色が、第２位置Ｘ２に位置する状態提示部材７０の色と異なる。しかし、本発明はこれに限定されない。第１位置Ｘ１に位置する状態提示部材７０の態様が、第２位置Ｘ２に位置する状態提示部材７０の態様と異なっていればよい。態様は、色、及び形状の両方の概念を含む。態様が異なることは、色、及び形状のうちの少なくとも一方が異なることを示す。状態提示部材７０の態様は、例えば、状態提示部材７０の外面部に位置する色の種類、状態提示部材７０の外面部に位置する色の個数、状態提示部材７０の外面部に位置する複数の色の配列、及び状態提示部材７０の外形のうちの少なくとも１つを示す。
【００８６】
なお、第１実施形態では、第１位置Ｘ１に位置する状態提示部材７０の色が、第２位置Ｘ２に位置する状態提示部材７０の色と異なるように、移動部７２が移動する。しかし、本発明はこれに限定されない。第１位置Ｘ１に位置する状態提示部材７０の形状が、第２位置Ｘ２に位置する状態提示部材７０の形状と異なるように、移動部７２が移動してもよい。この場合、例えば、移動部７２が凸形状を有し、移動部７２が移動することで移動部７２の先端の向く方向が変化するように構成する。その結果、状態提示部材７０が第１位置Ｘ１に位置するときと、第２位置Ｘ２に位置するときとで、状態提示部材７０の形状を異ならせることができる。
【００８７】
以下では、図２、図７（ａ）及び図７（ｂ）を参照して、状態提示部材７０の変形例について説明する。図７（ａ）は、第１位置Ｘ１に位置する状態提示部材７０の変形例の切断端面図である。図７（ｂ）は、第２位置Ｘ２に位置する状態提示部材７０の変形例の切断端面図である。
【００８８】
図７（ａ）に示すように、固定部７１は、第１固定部分７３と、第４固定部分７７とを有する。
【００８９】
第４固定部分７７は、固定部７１のうち延び方向Ｙの他方側に位置する。第４固定部分７７は、第３フランジ部７７ａと、第３摺動部７７ｂとを有する。
【００９０】
第３フランジ部７７ａは、第４固定部分７７のうち延び方向Ｙの他方側に位置する。第３フランジ部７７ａには、第３摺動部７７ｂが連なる。第３摺動部７７ｂは、第４固定部分７７のうち延び方向Ｙの一方側に位置する。
【００９１】
第３フランジ部７７ａは、延び方向Ｙの他方側に湾曲しつつ突出する。第３フランジ部７７ａは、操作部６０が挿通する孔が形成された略筒形状を有する。第３フランジ部７７ａは、第３摺動部７７ｂよりも幅方向Ｚに沿って膨出する。
【００９２】
第３摺動部７７ｂは、第３フランジ部７７ａから延び方向Ｙの一方側に突出する。第３摺動部７７ｂは、操作部６０が挿通する孔が形成された略筒形状を有する。第３摺動部７７ｂは、第１摺動部７３ｂに対して延び方向Ｙの他方側に位置する。第３摺動部７７ｂは、第１摺動部７３ｂに連なる。
【００９３】
第１摺動部７３ｂと第３摺動部７７ｂとは、延び方向Ｙに沿って延びる１つの摺動部７６を形成する。第３摺動部７７ｂは、本発明の他方部分の二例である。
【００９４】
第１実施形態では、移動部７２と、第１固定部分７３とは、同じ色で形成される。第４固定部分７７は、移動部７２、及び第１固定部分７３とは異なる色で形成される。
【００９５】
図２及び図７（ａ）に示すように、第１位置Ｘ１において、第３摺動部７７ｂが移動部７２で覆われるのに対し、第１摺動部７３ｂが露出する。
【００９６】
図２及び図７（ｂ）に示すように、第２位置Ｘ２において、第１摺動部７３ｂが移動部７２で覆われるのに対し、第３摺動部７７ｂが露出する。
【００９７】
図７（ａ）、及び図７（ｂ）に示すように、第１位置Ｘ１に位置する状態提示部材７０よりも、第２位置Ｘ２に位置する状態提示部材７０の方が、第４固定部分７７の色の見える領域が多くなる。従って、第１位置Ｘ１に位置する状態提示部材７０の外観が、第２位置Ｘ２に位置する状態提示部材７０の外観と異なる。その結果、ユーザーは、状態提示部材７０を視認することで、操作部６０の種類を容易に認識することができる。
【００９８】
（４）第２実施形態の状態提示部材７０について説明する。
【００９９】
第２実施形態の状態提示部材７０は、紐状部材と、ボール部材と、移動部とを有する。第２実施形態の移動部は、第１実施形態の移動部７２に相当する。第２実施形態の移動部は、重力により移動しない点で、第１実施形態の移動部７２と異なる。第２実施形態の移動部は、紐状部材に対して作用する張力により移動する。以下では、第２実施形態について詳細に説明する。
【０１００】
紐状部材は、紐状の部材である。紐状部材は、第１実施形態の操作部６０に相当する。紐状部材は、複数のスラット２１のうちの１つに接続される。紐状部材は、複数のスラット２１のチルト角度を変更する。ボール部材は、球状の部材である。ボール部材は、定位置で回転可能に支持される。ボール部材は、紐状部材に接続される。複数のスラット２１のチルト角度が変化すると、紐状部材がボール部材を所定の回転方向に引っ張るように、紐状部材が支持されている。
【０１０１】
移動部は、ボール部材に移動可能に設置される。ボール部材の回転角度が変化すると、移動部が移動する。また、移動部に対するボール部材の位置と、スラット２１のチルト角度とは、対応付けられている。
【０１０２】
スラット２１のチルト角度は、本発明の対象物の状態の二例である。
【０１０３】
次に、第２実施形態の状態提示部材７０の動作について説明する。
【０１０４】
スラット２１のチルト角度が変化すると、ボール部材に対して紐状部材の張力が作用する。そして、ボール部材は、紐状部材の張力により所定の回転方向に回転する。ボール部材が回転することで、ボール部材に対して移動部が移動する。このとき、スラット２１のチルト角度に対応した位置に、移動部が移動する。その結果、ユーザーは、ボール部材に対する移動部の位置を視認することで、スラット２１の状態を認識することが可能になる。
【０１０５】
（５）第３実施形態の状態提示部材７０について説明する。
【０１０６】
第３実施形態の状態提示部材７０は、第１実施形態の移動部７２に相当する部材を有しない点で、第１実施形態と異なる。
【０１０７】
第３実施形態の状態提示部材７０は、紐状部材と、ボール部材とを有する。ボール部材のうちの第１面の色と、第１面の裏側に位置する第２面の色とが異なっている。
【０１０８】
紐状部材は、ボール部材と、複数のスラット２１のうちの１つとに接続される。そして、スラット２１のチルト角度が変化すると、紐状部材の張力によりボール部材が所定の回転方向に回転する。ボール部材の回転角度と、スラット２１のチルト角度とは、対応付けられている。
【０１０９】
ボール部材が回転することで、ボール部材のうち、スラット２１を操作するユーザー側から見える面が変化する。従って、スラット２１のチルト角度に応じて、ユーザー側から見えるボール部材の色が変化する。その結果、ユーザーは、ボール部材の色を視認することで、スラット２１の状態を認識することが可能になる。なお、ボール部材の球面の色を３色以上の色で構成してもよい。
【産業上の利用可能性】
【０１１０】
本発明は、状態提示装置、及び状態提示部材の分野に利用可能である。
【符号の説明】
【０１１１】
２０    ブラインド（対象物）
５０    状態提示装置
６０    操作部
６１    第１部分
６２    第２部分
７０    状態提示部材
７１    固定部
７２    移動部
７３ｂ  第１摺動部（一方部分）
７４ａ  第２摺動部（他方部分）
７６    摺動部
Ｘ１    第１位置
Ｘ２    第２位置
Ｙ      延び方向
【図１】
2019206842.tif 000003
【図２】
2019206842.tif 000004
【図３】
2019206842.tif 000005
【図４】
2019206842.tif 000006
【図５】
2019206842.tif 000007
【図６】
2019206842.tif 000008
【図７】
2019206842.tif 000009